【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
標準式（１）：
ＡＢＡ      （１）
（式中、Ａは、共に一般式：
Ｒ５Ｏ（ＣａＨ２ａＯ）ｄＹ
である、ポリアルキレンオキシド単位または脂肪族変性ポリアルキレンオキシド単位であり、そして
Ｂは、一般式：
［Ｘ（ＣａＨ２ａＯ）ｂＲ２［ＳｉＯ（Ｒ１）２］ｃＳｉ（Ｒ１）２Ｒ２（ＯＣａＨ２ａ）ｂＸ］
（式中、Ｒ１は、１〜およそ４の炭素原子を含有するアルキルであり、
Ｒ２は、１〜およそ３０の炭素原子を含有する二価の有機部分であり、
単位Ａおよび単位Ｂにおける各々のａは、独立して、およそ２〜およそ４の整数であり、
各々のｂは、独立して、０または１〜およそ１００の整数であり、
ｃは、１〜およそ１０００の整数であり、
Ｒ５は、式（ＣｎＨ２ｎ＋１）−（式中、ｎ＝１〜３０）、または式（ＣｎＨ２ｎ−１）−（式中、ｎ＝２〜３０）、または式（ＣｎＨ２ｎ−３）−（式中、ｎ＝４〜３０）であり、
ｄは、０または１〜およそ１００の整数であり、
但し、全てのｂ値およびｄ値和が１〜およそ１００の整数であり、
ＸおよびＹは、Ｘが開環エポキシドである場合、Ｙは二級または三級アミンであり、そしてＹが開環エポキシドである場合、Ｘは二級または三級アミンであるような、二級アミンまたは三級アミン、および開環エポキシドから選択される二価の有機基である）の内在ポリシロキサン単位である）を有する直鎖トリブロックコポリマー。
【請求項２】
ＸまたはＹのいずれかで表される開環エポキシドが、脂肪族、脂環式、または芳香族である、請求項１に記載のコポリマー。
【請求項３】
ＸまたはＹのいずれかで表される開環エポキシドが、水酸基およびエーテル結合の少なくとも一つを含む、請求項１に記載のコポリマー。
【請求項４】
開環エポキシドが：
−ＣＨ２ＣＨ（ＯＨ）（ＣＨ２）ｖＣＨ（ＯＨ）ＣＨ２−、
−ＣＨ［ＣＨ２ＯＨ］（ＣＨ２）ｖＣＨ［ＣＨ２ＯＨ］−、
−ＣＨ２ＣＨ（ＯＨ）（ＣＨ２）ｖＣＨ［ＣＨ２ＯＨ］−、
−（ＣＨ２）ｖＯＣＨ２ＣＨ（ＯＨ）ＣＨ２−、および
−（ＣＨ２）ｖＯＣＨ２ＣＨ（ＣＨ２［ＯＨ］）−
（式中、ｖは、およそ２〜およそ６の整数である）
からなる群より選択される、請求項１に記載のコポリマー。
【請求項５】
開環エポキシドが、アルキレン部分におよそ２〜およそ２０の炭素原子を有するエポキシシクロヘキシルアルキレン基から誘導される、請求項１に記載のコポリマー。
【請求項６】
エポキシシクロヘキシルアルキレン基が、ω−（３，４−エポキシシクロヘキシル）アルキレンである、請求項５に記載のコポリマー。
【請求項７】
エポキシシクロヘキシルアルキレン基が、β−（３，４−エポキシシクロヘキシル）エチレン、β−（３，４−エポキシシクロヘキシル）−β−メチルエチレン、およびβ−（３，４−エポキシ−４−メチルシクロヘキシル）−β−メチルエチレンからなる群より選択される、請求項５に記載のコポリマー。
【請求項８】
ＸまたはＹのいずれかで表される二級または三級アミンが、一般式：
【化１】
2015504468.tif 000001
（式中、Ｒ３は、水素、１〜およそ３０の炭素を有するアルキルまたはアルケニル基であってよく、Ｒ４は、二価のアルキレン、二価のシクロ脂肪族アルキレンまたは二価のアラルキレン基であり、このいずれかの二価の基がヘテロ原子を含んでもよい、およびｇは、０または１である）である、請求項１に記載のコポリマー。
【請求項９】
Ｒ３が、メチルである、請求項８に記載のコポリマー。
【請求項１０】
Ｒ４が、およそ１０未満の炭素原子の二価のアルキレン基である、請求項８に記載のコポリマー。
【請求項１１】
Ｒ１が、メチルであり、ａが、２または３であり、全てのｂ値およびｄ値和が、およそ１０〜およそ５０であり、ｃが、およそ１０〜およそ１００であり、そして開環エポキシドが：
−ＣＨ２ＣＨ（ＯＨ）（ＣＨ２）ｖＣＨ（ＯＨ）ＣＨ２−、
−ＣＨ［ＣＨ２ＯＨ］（ＣＨ２）ｖＣＨ［ＣＨ２ＯＨ］−、
−ＣＨ２ＣＨ（ＯＨ）（ＣＨ２）ｖＣＨ［ＣＨ２ＯＨ］−、
−（ＣＨ２）ｖＯＣＨ２ＣＨ（ＯＨ）ＣＨ２−、および
−（ＣＨ２）ｖＯＣＨ２ＣＨ（ＣＨ２［ＯＨ］）−
（式中、ｖは、およそ２〜およそ６の整数である）
からなる群より選択される、請求項１に記載のコポリマー。
【請求項１２】
標準式（１）：
ＡＢＡ      （１）
（式中、Ａは、共に一般式：
Ｒ５Ｏ（ＣａＨ２ａＯ）ｄＹ
である、ポリアルキレンオキシド単位または脂肪族変性ポリアルキレンオキシド単位であり、そして
Ｂは、一般式：
［Ｘ（ＣａＨ２ａＯ）ｂＲ２［ＳｉＯ（Ｒ１）２］ｃＳｉ（Ｒ１）２Ｒ２（ＯＣａＨ２ａ）ｂＸ］
（式中、Ｒ１は、１〜およそ４の炭素原子を含有するアルキルであり、
Ｒ２は、１〜およそ３０の炭素原子を含有する二価の有機部分であり、
単位Ａおよび単位Ｂにおける各々のａは、独立して、およそ２〜およそ４の整数であり、
各々のｂは、独立して、０または１〜およそ１００の整数であり、
ｃは、１〜およそ１０００の整数であり、
Ｒ５は、式（ＣｎＨ２ｎ＋１）−（式中、ｎ＝１〜３０）、または式（ＣｎＨ２ｎ−１）−（式中、ｎ＝２〜３０）、または式（ＣｎＨ２ｎ−３）−（式中、ｎ＝４〜３０）であり、
ｄは、０または１〜およそ１００の整数であり、
但し、全てのｂ値およびｄ値和が１〜およそ１００の整数であり、
ＸおよびＹは、Ｘが開環エポキシドである場合、Ｙは二級または三級アミンであり、そしてＹが開環エポキシドである場合、Ｘは二級または三級アミンであるような、二級アミンまたは三級アミン、および開環エポキシドから選択される二価の有機基である）の内在ポリシロキサン単位である）を有する直鎖トリブロックコポリマーを作製する方法であって、該方法が：
一般式（２）：
Ｑ（ＣａＨ２ａＯ）ｂＲ２［ＳｉＯ（Ｒ１）２］ｃＳｉ（Ｒ１）２Ｒ（ＯＣａＨ２ａ）ｂＱ      （２）
の化合物と、一般式（３）：
Ｒ５Ｏ（ＣａＨ２ａＯ）ｄＺ，      （３）
（式中、Ｒ１、Ｒ２、Ｒ５、ａ、ｂ、ｃおよびｄは、前記定義の通りであり、Ｑは、各々独立して、そしてＺは、一級または二級の何れかのアミン、またはエポキシ含有基であり、但し、Ｑが一級または二級アミンである場合、Ｚは、エポキシ含有基であり、そしてＺが一級または二級アミンである場合、その時Ｑは、エポキシ含有基である）
の化合物とを反応させるステップを含む。
【請求項１３】
一般式（２）の化合物が、一般式（４）：
ＨＳｉＯ（Ｒ１）２］ｃＳｉ（Ｒ１）２Ｈ      （４）
のα，ω−ハイドロジェンポリシロキサンを、末端オレフィン結合を有する不飽和エポキシドと、ヒドロシリル化触媒の存在下で反応させることによって作製される、請求項１２に記載の方法。
【請求項１４】
一般式（３）の化合物が、Ｒ（ＯＣＨ２ＣＨ２）ａ［ＯＣＨ（ＣＨ３）ＣＨ２］ｂＮＨ２（式中、Ｒは、Ｒ５であり、そしてａおよびｂは、前記定義の通りである）である、請求項１２に記載の方法。
【請求項１５】
一般式（３）の化合物が、Ｊｅｆｆａｍｉｎｅ（登録商標）Ｍ−６００、Ｊｅｆｆａｍｉｎｅ（登録商標）Ｍ−１０００、Ｊｅｆｆａｍｉｎｅ（登録商標）Ｍ−２００５およびＪｅｆｆａｍｉｎｅ（登録商標）ＸＴＪ−６８２からなる群より選択される、請求項１２に記載の方法。
【請求項１６】
式（２）および（３）の化合物の反応が、１〜およそ２０％超の式（３）の化合物で行われる、請求項１２に記載の方法。
【請求項１７】
式（２）および（３）の化合物の反応後、反応生成物がブレンステッド酸の直接添加によって中和されてもよく、および／または不燃性溶媒との溶媒交換を受けてもよい、請求項１２に記載の方法。
【請求項１８】
請求項１に記載のコポリマーを含有する、シリコーン組成物。
【請求項１９】
請求項１に記載のコポリマーを含有する、シリコーン網目構造組成物。
【請求項２０】
請求項１に記載のコポリマーを含有する、パーソナルケア組成物。
【請求項２１】
請求項１に記載のコポリマーを含有する、パーソナルケア組成物であって、該パーソナルケア組成物が、洗浄剤、ボディソープ、石鹸、ローション、クリーム、シェービングクリーム、ヘアスプレー、コンディショナー、シャンプー、デオドラント、保湿剤、および日焼止めの一つである。
【請求項２２】
請求項１に記載のコポリマーを含有する、基質用柔軟剤組成物であって、該基質が、髪、繊維、および織物からなる群より選択される。
【請求項２３】
繊維が、綿、絹、亜麻、セルロース、紙、および羊毛からなる群より選択される、天然繊維である、請求項２２に記載の柔軟剤組成物。
【請求項２４】
繊維が、ポリエステル、ポリアミド、ポリアクリロニトリル、ポリエチレン、ポリプロピレン、およびポリウレタンからなる群より選択される、合成繊維である、請求項２２に記載の柔軟剤組成物。
【請求項２５】
繊維が、ガラスおよび炭素繊維からなる群より選択される、無機繊維である、請求項２２に記載の柔軟剤組成物。
【請求項２６】
請求項１に記載のコポリマーを含有する、ヘアコンディショナー。
【手続補正２】
【補正対象書類名】明細書
【補正対象項目名】０００６
【補正方法】変更
【補正の内容】
【０００６】
一つの実施態様において、本発明は、標準式（１）：
ＡＢＡ      （１）
（式中、Ａは、共に一般式：
Ｒ５Ｏ（ＣａＨ２ａＯ）ｄＹ
である、ポリアルキレンオキシド単位または脂肪族変性ポリアルキレンオキシド単位であり、そして
Ｂは、一般式：
［Ｘ（ＣａＨ２ａＯ）ｂＲ２［ＳｉＯ（Ｒ１）２］ｃＳｉ（Ｒ１）２Ｒ２（ＯＣａＨ２ａ）ｂＸ］
（式中、Ｒ１は、１〜およそ４の炭素原子を含有するアルキルであり、
Ｒ２は、１〜およそ３０の炭素原子を含有する二価の有機部分であり、
単位Ａおよび単位Ｂにおける各々のａは、独立して、およそ２〜およそ４の整数であり、
各々のｂは、独立して、０または１〜およそ１００の整数であり、
ｃは、１〜およそ１０００の整数であり、
Ｒ５は、式（ＣｎＨ２ｎ＋１）−（式中、ｎ＝１〜３０）、または式（ＣｎＨ２ｎ−１）−（式中、ｎ＝２〜３０）、または式（ＣｎＨ２ｎ−３）−（式中、ｎ＝４〜３０）であり、
ｄは、０または１〜およそ１００の整数であり、
但し、全てのｂ値およびｄ値和が１〜およそ１００の整数であり、
ＸおよびＹは、Ｘが開環エポキシドである場合、Ｙは二級または三級アミンであり、そしてＹが開環エポキシドである場合、Ｘは二級または三級アミンであるような、二級アミンまたは三級アミン、および開環エポキシドから選択される二価の有機基である）の内在ポリシロキサン単位である）を有する直鎖トリブロックコポリマーを開示する。
【手続補正３】
【補正対象書類名】明細書
【補正対象項目名】００１０
【補正方法】変更
【補正の内容】
【００１０】
上記の通り、Ｒ１は、１〜およそ４の炭素原子を含有するアルキル、具体的にはメチルであり、Ｒ２は、１〜およそ３０の炭素原子、具体的には１〜およそ１０の炭素原子、更に具体的には２〜およそ６の炭素原子を含有する二価の有機部分であり、単位Ａおよび単位Ｂにおける各々のａは、独立して、およそ２〜およそ４、具体的には２〜３の整数であり、各々のｂは、独立して、０または１〜およそ１００、具体的には１〜およそ８、更に具体的には１〜およそ４の整数であり、ｃは、１〜およそ１０００、具体的には１〜およそ５００、更に具体的には１〜およそ１００の整数であり、
Ｒ５は、式
（ＣｎＨ２ｎ＋１）−（式中、ｎ＝１〜３０）、または式
（ＣｎＨ２ｎ−１）−（式中、ｎ＝２〜３０）、または式
（ＣｎＨ２ｎ−３）−（式中、ｎ＝４〜３０）であり、
ｄは、０または１〜およそ１００の整数であり、
但し、全てのｂ値およびｄ値和が１〜およそ１００、具体的にはおよそ１０〜およそ５０の整数であり、
ＸおよびＹは、Ｘが開環エポキシドである場合、Ｙは二級または三級アミンであり、そしてＹが開環エポキシドである場合、Ｘは二級または三級アミンであるような、二級アミンまたは三級アミン、および開環エポキシドから選択される二価の有機基である。